Podtech/llm-jp-corpus-v4-ja_patent huggingface dataset:
(57)【要約】【課題】   まな板の端一部分を開口し取り外し可能なざるを取り付けたざる付きまな板と洗い桶をセットで使用することにより、狭いキッチンでの調理作業が有効にでき、食材の水切り、水さらし、調理した食材の移動等が容易にできるまな板と洗い桶とのセットを提供する。【解決手段】 従来のまな板の作業表面を確保した状態でのまな板１の端一部分を開口し、その開口部３に脱着自在なざる４a,4bを用途に応じて取り付け、まな板１と洗い桶１０との嵌合用の溝６を、まな板の下面５に形成したことを特徴とする、まな板と洗い桶とのセット。【選択図】 図１
2007181591.tif 000002
【特許請求の範囲】
【請求項１】
所要の作業表面を確保したまな板の端部側にざるを脱着自互に嵌合する開口部を備えたまな板。
【請求項２】
下面に洗い桶の上周縁の全周を嵌合する、嵌合凹部を有する請求項１に記載のまな板。
【発明の詳細な説明】
【技術分野】
【０００１】
本発明は、効率よく調理を行うためのまな板の改良に関するものである。
【背景技術】
【０００２】
従来、まな板はキッチンカウンタ−の上に置いて調理をすることが大方である。
【０００３】
洗い桶については食材や食器などを洗ったりしていた。        
【０００４】
まな板は食材のカッティングに使用するが、水切りが必要な食材は、まな板を斜めにして水きり用としても用をなしていた。またまな板上でカッティングした食材を鍋に入れる場合、まな板を片手で持って鍋の上に移動して、まな板の上の食材を鍋にいれていた。
また、洗い桶の開口部の一部を残して覆うことができる所要の調理表面を持ったまな板の発明が知られている。
【特許文献１】特開平１０−７１０９４公報
【発明の開示】
【発明が解決しようとする課題】
【０００５】
解決しようとする問題点は、事務所の炊事場や、一人暮らしのアパートの炊事場など比較的狭い調理場で、調理する場合、キッチンカウンタ−の限られたスペ−ス上で食材、食器類、まな板などが、混雑し調理がスム−ズにできなかった。水切りの必要な食材については、ざるを別途用意するか、まな板を斜めにするなどの手間がかかっていた。調理したとに水にさらす食材（千切りきゃべつなど）についても、ざるとボールなどを、別途用意しなければならなかった。食材を鍋に入れる場合にも、まな板を持つのに力が要りスム−ズに食材を鍋に入れる事が出来ないばかりか、食材がこぼれることもあった。
本発明は以上の問題点を解決しようとするものである。
【課題を解決するための手段】
【０００６】
本発明は所要の作業表面を確保したまな板の端一部分を開口し、脱着自在なざるを取り付け、そのまな板の作業面の裏面に洗い桶との嵌合を支持する凹部を形成し、この凹部に洗い桶を嵌合させ、高さのある洗い桶とざる付きまな板が嵌合していることにより、 シンクの中でもざる付まな板を使用して調理ができるよう に考案した。ざるは、深さが大・小 二種類のざるを用意する事で、小ざるは食材の水切りその他、大ざるは食材を水にさらすなど用途にあわせて使い分けできるように発明した。
【発明の効果】
【０００７】
本発明はざる付まな板と洗い桶をセットで使用することにより、シンクの中でざる付まな板を使用し調理することができるため、キッチンカウンタ−を有効に利用出来る。
【０００８】
シンクの中に本発明のざる付まな板とセットになった洗い桶があることにより食材の水切りや水さらしなどが、スムーズに出来る。
【０００９】
ざる付まな板と洗い桶がしっかりと嵌合しているため、例えばかぼちゃなど、切るのに力を要する食材も安全に切る事ができる。 
【００１０】
まな板の調理面がざると同じ面にあることにより、調理した食材をざるにスムーズに移す事が出来、そのざるに移した食材を、鍋などにスムーズに移すことができる。
【００１１】
ざる、まな板、洗い桶はそれぞれ、単独で使用することもできる。
【発明を実施するための最良の形態】
【００１２】
以下、本発明のまな板について最良の実施の形態を図１〜図６に基づいて説明する。
【００１３】
図においては１はまな板、２はまな板の上面、３はまな板面の一端に貫設された開口部、４a、４bは開口部３に嵌着される大小のざる、５はまな板１の下面、６は下面５に形成された洗い桶の上端縁を嵌合する嵌合凹部、７はざる４の縁、８はざるの柄、９は排水孔、１０は洗い桶、１１は洗い桶の上端縁である。
（イ)まな板（１）に開口部（３）を設ける際まな板の端から縦３ｃｍ、横３ｃｍの幅を残し、まな板の縦の長さの四分の一の幅の開口部（３）とする。
（ロ）開口部に嵌着するざる（４a）（４b）を深さの異なる大小二個作成するが、一つは深さが３ｃｍもう一つ は深さが９ｃｍものを作成する。二個とも３ｃｍ以上長さの柄を（８）つける。なおここに揚げたざるの大小２つの深さは、あくまでそれぞれ実施例のひとつであって、本発明の目的を達成することが可能であれば、必ずしもこれらに拘泥するものではない。
（ハ）ざるは、その頂部がまな板とほぼ同一平面になるように、まな板の開口部周辺に懸架可能な幅１ｃｍ以下の縁（７）をざるに設ける。
（ニ）まな板の下面（５）に洗い桶を固定するための嵌合部（６）を形成する。
（ホ）前記嵌合凹部（６）に嵌合する上端縁（１１）を有する深さ１０ｃｍの洗い桶（１０）を形成するが、底面より８ｃｍの位置に排水孔（９）を形成する。
図３は本発明の実施例における分解斜視図を示すものであるが、図中ざる（４a）とざる（４b）とはざるの種別を示すものであって、同時に使う事を前提とするものではない。
本発明は、以上の構成よりなっている。まな板、、洗い桶、ざるは、それぞれ取り外しができ、単独の使用も可能である。図３のまな板（１）と洗い桶（１０）の組み合わせでの使用も可能である。図３のまな板（１）とざる（４ａ）を組み合わせてカウンター上での使用も可能である。ざる（４ｂ）はまな板（１）と洗い桶（１０）との組み合わせでの使用が好ましい。
図１は本実施の形態のまな板と洗い桶とのセットの斜視図であり、 図２はまな板の下面の図であり、 図３は分解斜視図であり、 図４は本発明の要部断面図である。 図５は小ざる（４a）をまな板に嵌着させたまな板との嵌着状態を示す断面図であり、 図６は大ざる（４b）をまな板に嵌着させたときのまな板（１）とざるの柄（８）の嵌着状態を示す断面図である。
【図面の簡単な説明】
【００１４】
【図１】本発明の斜視図
【図２】本発明中まな板の底面図
【図３】本発明の分解斜視図
【図４】本発明の要部断面図
【図５】本発明の一部を拡大した断面図
【図６】本発明における他のざるを組み合わせた実施例の要部断面図
【符号の説明】
【００１５】
１ まな板 
２ まな板上面
３ 開口部
４a ざる
４ｂざる
５ まな板の下面
６ 凹部
７ ざるの縁
８ ざるの柄
９ 排水孔
１０洗い桶
１１上端縁
【図１】
2007181591.tif 000003
【図２】
2007181591.tif 000004
【図３】
2007181591.tif 000005
【図４】
2007181591.tif 000006
【図５】
2007181591.tif 000007
【図６】
2007181591.tif 000008
(57)【要約】【課題】枕の形状に合わせ、使用方法を多様化出来る機能状優れた安眠と健康の維持向上を図る枕を提供する。【目的】この枕は首筋の下に入れ寝ることにより、気道が伸び空気の吸い込みが多くなる。また、背筋に敷くと頭部の重みの付加により背筋が伸び肺も広がる効果もあり、腹式呼吸の促進を図るので空気の量が多く入るため呼吸が楽になる。病で腹式呼吸をしなければならない人はかなりの訓練が必要だが、急を要する時にはすぐに出来ない事が多い。そのような時に腹式呼吸がすぐに出来る枕で安眠と健康を促す目的がある。【解決手段】枕本体（１）と枕カバー（２）に、ストッパー付ベルト（３）を付属し、ベルト収納袋（４）を設けることを特徴とする。【選択図】図２
2007181509.tif 000002
【特許請求の範囲】
【請求項１】
（イ）弾性体で片面凸状のものをロール状に巻いたものを２本合わせ、同じ弾性体で被った枕本体（１）を枕カバー（２）にストッパー付ベルト（３）とベルト収納袋（４）を設けた。
以上の如く構成された枕である。
【発明の詳細な説明】
【発明の詳細な説明】
【産業上の利用分野】
【０００１】この発明は、枕本体および枕カバーの形を生かして作成した枕に関するものである。
【背景技術】
【０００２】従来の枕は頭の下に敷く寝具である。
【発明が解決しようとする課題】
【０００３】これらには次のような欠点がある
（イ）枕は後頭部を乗せ安眠を司るものが多く、頭部より面積が広く大きい。
（ロ）肩口から後頭部の形状に合わせている為その他の利用法が少なく機能的でない。
【課題を解決するための手段】
【０００４】枕本体（１）と枕カバー（２）に、ストッパー付ベルト（３）とベルト収納袋（４）を付けて組み合わせた本発明は以上のような構成による枕である。
【発明を実施するための最良の形態】
【０００５】以下、本発明の実施例について説明する。
（イ）枕本体（１）の形状が凸状の弾性体をロール状に巻いたものを２本の同じ弾性体で被ったものをストッパー付ベルト（３）・ベルト収納袋（４）を装着した枕カバー（２）に入れる。本発明は以上のような構造である。
【発明の効果】
【０００６】これには次の様な効果がある。
（イ）枕の縦幅を狭くしてあるので、枕を首筋に当てて寝ると頭部の重みで首筋が伸び気道が広くなる為空気の吸い込みが良くなる。
（ロ）腰痛等で痛い所には、ベルトで場所を固定して使用する事が出来る。
（ハ）背中にベルトをこていして寝ると背筋が伸びて肺が広がり空気の吸入量が増える。また腹式呼吸がすぐ出来る様にもなる。
（ニ）背筋に当てると床ずれ予防の利用法もある。
本発明は、これらの効果をもたらすものである。
【図面の簡単な説明】
【図１】枕本体図
【図２】（枕本体の入った）枕カバーの概観図
【符号の説明】
１  枕本体
２  枕カバー
３  ストッパー付ベルト
４  ベルト収納袋
【図１】
2007181509.tif 000003
【図２】
2007181509.tif 000004
(57)【要約】      （修正有）【課題】高齢化の進んでいる中で、介護の重要性が増し介護者に益々負担がかかるようになっている。体位移動変換シーツの機能性を利用し、経済的体力的にも負担を軽減する。【解決手段】シーツ本体１に、トンネル状布地２と紐ベルト３を設ける。これを使用するときは、寝ている人の下に敷きトンネル状の布地に手を通して抱く感じで移動方向に引く。上下についている紐ベルトは、上下移動のときに使う。左右の紐ベルトは、起こすときに使う。【選択図】図１
2007181510.tif 000002
【特許請求の範囲】
【請求項１】
すべりの良い布地を袋状に縫い合わせたシーツ本体（１）に手を通せるトンネル状の布地（２）を数箇所設け上下左右に紐ベルト（３）を設けた体位移動変換シート。
【発明の詳細な説明】
【発明の詳細な説明】
【産業上の利用分野】
【０００１】この発明は、袋状に縫い合わせた布地にトンネル状の布地と紐ベルトを生かした体位移動変換に関するものである。
【背景技術】
【０００２】従来の体位変換には、人力または大掛かりな装置を設けたりしている。
【発明が解決しようとする課題】
【０００３】これらには次のような欠点がある
（イ）体位移動変換には、熟練がいり重労働である。
（ロ）ベッドに備え付けられた装置で大掛かりなものが多い。
（ハ）高価であり持ち運びが難しい。
（ニ）腰を痛めたりする人も多い。
本発明は、これらの欠点を除くためになされたものである。
【課題を解決するための手段】
【０００４】シーツ本体（１）にトンネル状の布地（２）に、上下左右に紐ベルト（３）を組み合わせた本発明は以上のような構成による体位移動変換シートである。
【発明を実施するための最良の形態】
【０００５】以下、本発明の実施例について説明する。
（イ）シーツ本体（１）に、トンネル状の布地（２）に、紐ベルト設ける。
本発明は以上のような構造で、これを使用するときは、寝ている人の下に敷きトンネル状の布地に手を通して抱く感じで移動方向に引く。上下についている紐ベルト（３）は、上下移動のときに使う。左右の紐ベルト（３）は、起こすときに使う。
【発明の効果】
【０００６】  これには次のような効果がある。
（イ）余り体力を使わずに体位移動変換ができる。
（ロ）起こすのが容易である。
（ハ）折りたたみが出来携帯するのが容易である。
（ニ）簡単に洗濯が出来清潔である。
（ホ）安価である。
本発明は、これらの効果をもたらすものである。
【図面の簡単な説明】
【図１】  本発明の平面図
【符号の説明】
１  シーツ本体
２  トンネル状布地
３  紐ベルト
【図１】
2007181510.tif 000003
(57)【要約】      （修正有）【課題】  浴室内での体洗浄や浴槽への移動させる介護作業を容易にする介護補助椅子を提供する。【解決手段】  椅子本体の土台部３と、椅子本体土台部３に回転可能に軸止された座板１と、土台部３と座板１間に設けられた回転機構と、下方への突出部を有する背もたれ枠２と、座板１および土台部３に設けられ背もたれ枠２の突出部挿入で固定される軸止め穴５を設けた構成よりなる。【選択図】図１
2007181501.tif 000002
【特許請求の範囲】
【請求項１】
椅子本体の土台部と、該椅子本体土台部に回転可能に軸止された座板と、前記土台部と座板間に設けられた回転機構と、下方への突出部を有する背もたれ枠と、前記座板および土台部に設けられ前記背もたれ枠の突出部挿入で固定される軸止め穴を設けたことを特徴とする介護用椅子。
【発明の詳細な説明】
【技術分野】
【０００１】  本発明は、浴室内での体洗浄や浴槽への移動させる介護作業を容易にする介護補助椅子に関する。
【背景技術】
【０００２】  従来の風呂椅子は低く床置き式のものがあった。
【発明の開示】
【発明が解決しようとする課題】
【０００３】  従来の介護用の椅子は、１人で立ったり座ったり出来る人には良いが、介護が必要な人の体洗浄後、浴槽へ移動させるために持ち上げるのが大変だった。
その際、体を回転させる作業は不安定となり、介護者の負担となっていた。
本発明は以上の問題を解決するために考えたものである。
【課題を解決するための手段】
【０００４】  椅子本体の土台部と、該椅子本体土台部に回転可能に軸止された座板と、前記土台部と座板間に設けられた回転機構と、下方への突出部を有する背もたれ枠と、前記座板および土台部に設けられ前記背もたれ枠の突出部挿入で固定される軸止め穴を設けたことを特徴とする。
【発明の効果】
【０００５】  体を洗浄する際には枠を差し込むことで固定式にできるので安定した状態で作業ができる。また、枠を取り外すことで回転可能となり、要介護者を椅子にのせたまま安全かつ簡単に体の向きを変えることができる。
これらは、介護者の作業を非常に楽にするものである。
また、体の極端に不自由でないものにとっては、自分で浴槽へはいることも可能である。
【発明を実施するための最良の形態】
【０００６】  以下、本発明の実施の形態について図１から図６を用いて説明する。
本発明は図２に示すように背もたれ枠（２）が着脱可能となった椅子である。
本発明は椅子本体と、座板（１）と、背もたれ枠（２）と、椅子本体と座板（１）の間に設けられた回転機構より構成されている。
椅子本体は、土台（３）に４本の脚部（４）が設けられたものである。土台（１）中央には図３に示すように上面から支軸受け穴（１４）が設けられている。土台（３）上面には支軸受け穴（１４）を中心とするようにリング溝（１２）が設けられている。また、土台（３）後部には２つの土台枠穴（１０）が設けられている。
座板（１）は土台（３）と同形状となっており、中心に軸止め穴（５）が設けられている。この軸止め穴（５）には軸（１３）が固定式に設けられている。この際、図３並びに図４に示すように軸（１３）は座板（１）上面が平と  なり、座板（１）下方へ突出ようになっている。座板（１）底面には図４に示すように軸（１３）を中心として前記土台（３）のリング溝（１２）と同様のリング溝（１２）設けられている。また、座板（１）後部には、２つの座板枠穴（９）が設けられている。この座板枠穴（９）は、座板（１）を取り付けた状態で前記土台枠穴（１０）と同位置となるようになっている。また、土台（３）と座板（１）のリング溝（１２）間には、リング溝（１２）の大きさに合う形状のベアリング（１１）が設けられており、これにより座板（１）の回転をスムーズにすることができる。図５に示すように、このベアリング（１１）を上下のリング溝（１２）で挟むように軸（１３）を支軸受け穴（１４）に指しこみ土台（３）を装着することで、回転式の椅子となる。
この際、全体として人が立ち上がるのに負担が低減する高さ位置となることが好ましい。
枠体は２本の背縦枠（７）の上部に背横枠（６）が架設されており、背縦枠（７）の下部にはストッパー棒（８）が設けられている。ストッパー棒（８）は、背縦枠（７）が前記土台枠穴（１０）に届く長さ分突出する位置となっている。
この背もたれ枠（２）の突出部を座板枠穴（９）及び土台枠穴（１０）に差し込むことで、座板（１）は土台（３）に固定される。
本発明は以上の構成よりなる。
本発明を使用するときは、浴室内の要介護者を座らせて体を洗浄するのに適した位置に設置する。背もたれ枠（２）を装着することにより、座板（１）は固定されるので、その状態で要介護者を座らせ、体を洗浄する。この際、背もたれ枠（２）があることで、後部へ倒れる事故を防止することができる。
また、浴槽へ移動させるときは背もたれ枠（２）を外し、図６に示すように座板（１）を約９０度回転させ、浴槽方向へ向かせる。その状態で体を持ち上げ浴槽内へと移動させる。
浴槽からでるときは、これと逆の作業となる。
軽度の身体障害者であれば、自身で体を洗い、椅子に座った状態で方向を変え、自分で浴槽に入ることも可能である。
【図面の簡単な説明】
【０００７】
【図１】本発明の斜視図
【図２】本発明の分解斜視図
【図３】本発明の分解斜視図
【図４】本発明の回転台の裏面から見た斜視図
【図５】本発明の回転の状態を示した断面図
【図６】本発明の回転状態を示した斜視図
【符号の説明】
【０００８】１  座板
２  背もたれ枠
３  土台
４  脚部
５  軸止め穴
６  背横枠
７  背縦枠
８  ストッパー棒
９  座板枠穴
１０  土台枠穴
１１  ベアリング
１２  ；１２ａ；１２ｂ  リング溝
１３  軸
１４  支軸受け穴
【図１】
2007181501.tif 000003
【図２】
2007181501.tif 000004
【図３】
2007181501.tif 000005
【図４】
2007181501.tif 000006
【図５】
2007181501.tif 000007
【図６】
2007181501.tif 000008
(57)【要約】【課題】従来の杖では、１本棒で体重を一点で受けるとか、杖を立て掛けることを便利にしたものとか、静電気対応のものでも地面に接地させて放電させるものであったりで、それぞれ特徴はあるものの今一つ工夫性に足りないもので課題でもあったのである。【解決手段】上記課題を解決するために、杖の上部に静電気拡散性ゴムを付け、杖の下部に杖傾斜範囲を持つ杖体重伝達具で接する杖先があり杖直立補助具で連結されているもので、そしてその杖先には杖の中心より離れた所の杖体重支え位置に体重分散受部がある杖にしたものである。【選択図】図１
2007181508.tif 000002
【特許請求の範囲】
【請求項１】
杖の上部に静電気拡散性ゴムを付け、杖の下部に杖傾斜範囲を持つ杖体重伝達具で接する杖先があり杖直立補助具で連結されているもので、そしてその杖先には杖の中心より離れた所の杖体重支え位置に体重分散受部がある杖。
【請求項２】
従来の杖をオプション杖受とオプション杖止具とオプション杖止ネジで受け固定し使用するもので、そのオプション杖受の下部には杖傾斜範囲を持つ杖体重伝達具で接する杖先がありオプション杖直立補助具で連結されているもので、そしてその杖先には杖の中心より離れた所の杖体重支え位置に体重分散受部がある杖。
【発明の詳細な説明】
【技術分野】
【０００１】  本発明は、一般に使用されているものより進化を計った杖に関する。
【背景技術】
【０００２】  従来の杖には、杖の転倒防止構造のものがある（例えば、特願平１１−１３８０００参照。）。【０００３】  又、杖の接地面側に滑りを防ぐようにした杖用可撓弾性石突を用いたものがある（例えば、特願２０００−２１２８４７参照。）。【０００４】  そして、杖の静電気対応には特願２００５−２９８１４９があるが、これは当特許願の特許出願人本人によるものである。そしてグリップの特願２００２−３４１６０８の特許出願人の導きによるものである。
【特許文献１】  特願平１１−１３８０００
【特許文献２】  特願２０００−２１２８４７
【発明の開示】
【発明が解決しようとする課題】
【０００５】  以上に述べた従来の杖では、１本棒で体重を一点で受けるとか、杖を立て掛けるることを便利にしたものであったりとか、静電気対応のものでも地面に接地させて放電させるものであったりで、それぞれ特長らしきものはあるものの今一つ工夫性に足りないものであったのである。【０００６】  本発明は、このような従来の構成が有していた問題を解決しようとするものであり、静電気対応にも杖の転倒防止にも杖の体重掛け状態にも改善させることを目的とするものである。
【課題を解決するための手段】
【０００７】  そして、本発明は上記目的を達成するために杖の上部に静電気拡散性ゴムを付け、杖の下部に杖傾斜範囲を持つ杖体重伝達具で接する杖先があり杖直立補助具で連結されているもので、そしてその杖先には杖の中心より離れた所の杖体重支え位置に体重分散受部がある杖。【０００８】  また、第２の課題解決手段は、従来の杖をオプション杖受とオプション杖止具とオプション杖止ネジで受け固定し使用するもので、そのオプション杖受の下部には杖傾斜範囲を持つ杖体重伝達具で接する杖先がありオプション杖直立補助具で連結されているもので、そしてその杖先には杖の中心より離れた所の杖体重支え位置に体重分散受部がある杖。【０００９】  上記第一の課題解決手段による作用は次の通りである。すなわち、静電気対応には先に手を触れる部分をを導電性のものではなく静電気拡散性のものにしその内側を導電性のものにして地面に接地させなくても放電できるようにし、杖を傾斜させて体重を掛けた時には杖傾斜範囲と杖体重支え位置にある体重分散受部により杖が体重を支えることにもなり、と同時に杖の転倒防止になる直立補助具をも備えた杖にしたものである。【００１０】  また、第２の課題解決手段による作用は、これまでの杖にオプションとして付けられるようにしたもので、上記第一の課題解決手段をそのまま有することができるものである。
【発明の効果】
【００１１】  上述したように本発明の杖は、静電気対応を条件なくしてできるようにし、杖がある角度以上に例えば３０度前後傾斜させたときには杖が体重を支える役目もするようになり、更に立て掛けには自立することも兼ね備えた杖を提供できるものである。【００１２】  更に、上記効果を有しながら、これまでの杖のオプションとして付けられるようにした使用者中心に配慮されたものを提供するものである。
【発明を実施するための最良の形態】
【００１３】  以下、本発明の実施の形態を図１〜図３に基づいて説明する。【００１４】  図においては、杖１の上部に静電気拡散性ゴム２を付け、杖１の下部に杖傾斜範囲ｂを持つ杖体重伝達具４で接する杖先３があり杖直立補助具５で連結されているもので、そしてその杖先３には杖の中心より離れた所の杖体重支え位置ｄに体重分散受部ｃがある杖したものである。【００１５】  そして従来の杖ｅをオプション杖受６とオプション杖止具７とオプション杖止ネジ８で受け固定し使用するもので、そのオプション杖受６の下部には杖傾斜範囲ｂを持つ杖体重伝達具４で接する杖先３がありオプション杖直立補助具９で連結されているもので、そしてその杖先３には杖の中心より離れた所の杖体重支え位置ｄに体重分散受部ｃがある杖にしたものである。【００１６】  以下、上記構成の動作を説明する。静電気拡散性ゴム２で覆われている杖１を手にすると静電気が静電気放電部ａで放電するのである。杖１の下部には杖先３があり杖体重伝達具４と杖直立補助具５で連結され、杖が折れながら杖先が接地面に複数の体重分散受部ｃが平らに接し安定しているのである。そして杖に必要な荷重が掛かった時には杖傾斜範囲ｂだけ折れるもののその隙間の周囲で荷重を受止め、且つ杖の中心より離れた所の体重分散受部ｃで杖体重支え位置ｄにある分だけ荷重を受止めるのである。これは使用者には非常に助かるものである。更に、杖直立補助具５により寄り掛けることもなく手を放しても倒れないのである。【００１７】  又、本発明は従来の杖にも利用できるようにしたもので、従来の杖ｅをオプション杖受６とオプション杖止具７とオプション杖止ネジ８で固定できるようにし、そオプション杖受６の接地面側には上述の「００１６」の動作と同様に作用するものである。
【図面の簡単な説明】
【００１８】
【図１】  本発明の実施形態を示す杖の概略図
【図２】  本発明の実施形態の杖の連結部と下部を示す図
【図３】  本発明の実施形態で従来の杖も使用できることを示した図
【符号の説明】
【００１９】１    杖
２    静電気拡散性ゴム
３    杖先
４    杖体重伝達具
５    杖直立補助具
６    オプション杖受
７    オプション杖止具
８    オプション杖止ネジ
９    オプション杖直立補助具
ａ    静電気放電部
ｂ    杖傾斜範囲
ｃ    体重分散受部
ｄ    杖体重支え位置
ｅ    従来の杖
【図１】
2007181508.tif 000003
【図２】
2007181508.tif 000004
【図３】
2007181508.tif 000005
(57)【要約】      （修正有）【課題】従来の医療現場での、化学療法における口内炎予防で、「氷」を含んでの口腔粘膜冷却法では、氷が溶けてしまい長時間冷却できない。また、嚥下反射の向上リハビリを行う対象の患者は、脳血管障害の患者が多く、「氷」を用いて口腔内からの嚥下神経を刺激している間に、「氷」が溶けて「水」になってしまい、リハビリ施行中に誤飲する可能性がある。治療上、水を飲むことを禁止されている意識のはっきりしている患者などの口腔内の乾燥・口渇は大変苦痛である。「うがい」で対応しているが、爽快感は、一時的にそのときだけ得られるだけである。歯肉の腫脹・疼痛・発熱している患者の口腔内の温度は、上昇しており、不快感がある。【解決手段】「氷」のように溶けることなく冷却効果を長時間保つ保冷剤であり、使用後水洗いし再冷却すると何回も洗って使える。ストロベリー、ミント、バニラなどの香りがついており、唾液の分泌促進作用もある。【選択図】図１
2007181503.tif 000002
【特許請求の範囲】
【請求項１】
2007181503.tif 000005
ことができるなどの主に口腔ケアに用いる、医療・看護・介護用具に関するものである。
先端部１は、ドロップ型で、長さは４０ｍｍ前後である。青、ピンクなど色がついている。ストロベリー、ミント、バニラなどの香りがついている。素材は、食べても無害な、保冷剤である。スティック部２は、紙でできており、１５０ｍｍ前後である。
【請求項２】
先端部の形、スティック部の素材が限定されない請求項１記載の用具
【発明の詳細な説明】
2007181503.tif 000003
【技術分野】
【０００１】  この発明は、安全で簡潔に、口腔粘膜障害予防・嚥下反射の向上・爽快感を得ることができるなどの主に口腔ケアに用いる、医療・看護・介護用具に関するものである。
【背景技術】
【０００２】  がんの治療のひとつに、化学療法があげられる。化学療法の普及に伴い生存率は上昇している。それに伴い抗がん剤による合併症の発生率も多く見られる。そのため合併症の予防は医療現場で、重要視されている。化学療法を受けた患者の３分の１に口腔粘膜障害（口内炎）が生じている。この予防策としては、「氷を口に含ませる」ことだけであった。【０００３】  脳血管障害患者における、嚥下反射向上のリハビリテーションの一つとして、口腔内のアイスマッサージが看護・介護の場で行われている。これは、凍らせた綿花をかん子（医療器具）ではさみ患者の口腔内を軽くこするものであった。かん子は、一般家庭にはなく自宅で患者を介護する際に不便を生じる。【０００４】  従来の、発熱時の解熱方法は、頭部・わきの下・そけいぶ、などの血管に添って冷却する方法しかなかった。口腔内を冷やす用具はなかった。【０００５】  手術の後の患者・誤飲してしまいそうな患者、治療上水を飲むことを禁止されている意識のはっきりしている患者などの、口腔内の乾燥・口渇の緩和には、「うがい」でしか対応できていない現状がある。
【発明の開示】
【発明が解決しようとする課題】
【０００６】  化学療法における口内炎予防で、「氷」を含んでの口腔粘膜冷却法では、氷が溶けてしまい長時間冷却できない。（化学療法の治療時間は、５時間以上かかることもある）【０００７】  嚥下反射の向上リハビリを行う対象の患者は、脳血管障害の患者が多く、「氷」を用いて口腔内からの嚥下神経を刺激している間に、「氷」が溶けて「水」になってしまい、リハビリ施行中に誤飲する可能性がある。【０００８】  治療上、水を飲むことを禁止されている意識のはつきりしている患者などの口腔内の乾燥・口渇は大変苦痛である。「うがい」で対応しているが、爽快感は、一時的にそのときだけ得られるだけである。【０００９】  歯肉の腫脹・疼痛・発熱している患者の口腔内の温度は、上昇しており、不快感がある。
【課題を解決するための手段】
【００１０】
2007181503.tif 000004
リハビリ、などに使用されている、「氷」のように溶けることなく冷却効果を持つことを特徴とする。
【発明の効果】
【００１１】  本発明品は、化学療法における口内炎予防で、長時間にわたり口腔内を冷却できる。（化学療法の治療時間は、５時間以上かかることもある）【００１２】  本発明品は、嚥下反射の向上リハビリを行う患者に、誤嚥の危険性が少なく、口腔内からの嚥下神経を刺激することができる。【００１３】  本発明品は、治療上、水を飲むことを禁止されている意識のはっきりしている患者などの口腔内の乾燥・口渇に対して、長時間爽快感を与えることができる。【００１４】  歯肉の腫脹・疼痛・発熱している患者の口腔内を冷却することができ、長時間爽快感を与えることができる。【００１５】  使用後、水洗いし再冷却すると何回も洗って使えるため経済的である。
【発明を実施するための最良の形態】
【００１６】  以下、本発明の実施の形態を図面に基づき詳細に説明する。【００１７】  図１は、斜体図である。【００１８】  図１に示すように、先端部１は、ドロップ型で、長さは４０ｍｍ前後である。青、ピンクなど色がついている。ストロベリー、ミント、バニラなどの香りがついている。素材は、食べても無害な、保冷剤である。スティック部２は、紙でできており、１５０ｍｍ前後である。
【図面の簡単な説明】
【００１９】
【図１】本発明の斜体図である。
【符号の説明】
【００２０】      １  先端部
２  スティック部
【図１】
2007181503.tif 000006
(57)【要約】【課題】  種類の異なるビスに対応でき、ビス打ち込み時に打ち込み部材に傷を付けることが少なく、操作が簡単で安価なビス保持具が望まれた。【解決手段】  軟質ビニールや軟質ゴムを素材としたチューブで、ビス保持部（１）である一方の端の内径をビス（６）の頭部の外径よりもやや小さくし、ドライバービットへの固定部（３）である他方の端の内径をドライバービット（４）の外径よりもやや小さくし、中間部（２）の内径をドライバービット（４）の外径よりもやや大きくしたドライバー用ビス保持チューブを提供する。【選択図】図２
2007276098.tif 000002
【特許請求の範囲】
【請求項１】
軟質ビニールまたは軟質ゴムを素材としたチューブで、ビス保持部（１）である一方の端の内径をビス（６）の頭部の外径よりもやや小さくし、ドライバービットへの固定部（３）である他方へ端の内径をドライバービットへ（４）の外径よりもやや小さくし、中間部（２）の内径をドライバービット（４）の外径よりもやや大きくしたドライバー用ビス保持チューブ。
【発明の詳細な説明】
【技術分野】
【０００１】本発明は、ドライバー用ビス保持具に関する物である。
【背景技術】
【０００２】従来のドライバー用ビス保持具に関する技術には主なもので、
（１）スプリングと金属ボールを組み合わせたソケット方式のもの。（特許文献１参照）
（２）ビスの頭部を挟みつけて保持するもの。（特許文献２，３，４参照）
以上が上げられる。【０００３】
【特許文献１】特開２０００−２４９４６号のマイクロフィルム
【特許文献２】特許第１８１６５１号明細書
【特許文献３】実開昭６３−１３６６３号マイクロフィルム
【特許文献４】実開昭４９−２５０９７号マイクロフィルム
【発明の開示】
【発明が解決しようとする課題】
【０００４】  以上に述べた従来のビス保持具で、背景技術（１）の場合、サラビスには有効であるがナベビスには保持力が弱く有効でない。また先端部の外径が大きいので狭い所へのビス打ち込みが不可能である。【０００５】  背景技術（２）の場合、ビスを挟みつける部分が金属で硬いため、ビス打ち込み部材に傷をつける恐れがある。特に電動ドライバーで同方式のビス保持具を使用した場合高速で回転するため傷ができやすい。【０００６】  本発明はこのような従来の構成が有していた問題を解決しようとするものであり、ビス打ち込み時にビス打ち込み部材に傷をつけることを少なくするとともに、狭い場所での使用を可能にし、また、すべての形状のビスに対応可能にするものである。
【課題を解決するための手段】
【０００７】    本発明は上記目的を達成するために、軟質ビニールまたは軟質ゴムを素材として用いる。形状は１本のチューブ状で内径が部分によって異なる。ビス保持部（１）に於いては内径をビス（６）の頭部の外径よりもやや小さくして弾力性のある袋状にする。これはビスを容易に装着し、かつ脱落を防止するための構造である。【０００８】  ドライバービットへの固定部（３）に於いては、内径をドライバービット（４）の外径よりもやや小さくする。これはドライバービットへの着脱を可能にした上にビス打ち込み作業中に本発明の位置がづれないようにしたものである。【０００９】  中間部（２）に於いては、内径をドライバービット（４）の外径よりやや大きくしドライバービット上を自由に動くようにする。この目的は本発明をドライバービットに容易に着脱できるようにすることと、ビス打ち込み時にビス保持部（１）の先端に発生する圧力を中間部が吸収し、ビス打ち込み部材が傷つくことを防ぐためである。
【発明の効果】
【００１０】  上記した本発明の構成から発揮される効果を次ぎに上げる。【００１１】  （１）構造が簡単でかつ軟質ビニールや軟質ゴムを素材とするため成形加工が容易であり、すべての形状のビスに対応することができる。
（２）軟質素材を使用するため、ビス打ち込み部材に傷をつけにくい。
（３）本発明を使用してビス打ち込み作業を行い、次の作業工程で本発明が不用になったとき、本発明をドライバービット基部方向にづらして作業できるので、本発明の紛失を防げる。
（４）本発明専用のドライバービットの必要性がなく、市販されているドライバービットを利用できる。
（５）本発明はビスの打ち込み時だけでなく、ビスの取りはずし時にもビスを脱落させない目的のため使用することができる。
（６）安価で提供することができる。
【発明を実施するための最良の形態】
【００１２】  以下本発明の実施の形態を図２〜図３に基づいて説明する。【００１３】  図２に示すようにビスのサイズに合う本発明をドライバービット（４）に挿入し、所定の位置に固定する。次ぎにビス（６）の頭部を本発明のビス保持部（１）に押し込みドライバービット（４）の先端に接合させ、ビス打ち込み作業を行う。【００１４】  本発明をビス取りはずし作業に使用するときは、ドライバービット（４）の先端をビスに押し当て回転させると、自然に本発明のビス保持部（１）がビスの頭部をつかみ、ビスの脱落なくビス取りはずし作業を終了することができる。【００１５】  本発明が不必要なビス打ち込み作業に於いては図３に示すように本発明をドライバービット（４）基部へ移動させれば通常のビス打ち込み作業ができる。【００１６】  しばらく本発明を使用していない場合はドライバービット（４）より引き抜き保管する。
【図面の簡単な説明】
【００１７】
【図１】本発明の斜視図
【図２】同実施形態を示す断面図
【図３】同実施形態を示す断面図
【符号の説明】
【００１８】１  ビス保持部
２  中間部
３  ドライバービットへの固定部
４  ドライバービット
５  電動ドライバー
６  ビス
【図１】
2007276098.tif 000003
【図２】
2007276098.tif 000004
【図３】
2007276098.tif 000005
(57)【要約】【課題】従来の上部へのアンカー打設作業は、重いハンマードリルを上に向けて打つので辛く、力も十分にいれなければならないので大変苦労していた、又高所作業及び上を向いての作業なので目に粉塵等が入る危険が多くあった。【解決手段】  ハンマードリルに補助器具を取り付け作業を行えば、床面の作業となり安全になる。  作業効率が大幅に上がる。何より作業に加える力が少なくてすむ。【選択図】図１
2007276095.tif 000002
【特許請求の範囲】
【請求項１】
ハンマードリルに補助器具を取り付けたことを特徴とする装置。
【請求項２】
前記補助器具は、上部作業時にスライド式の操作部を取り付けたことを特徴とする装置。
【発明の詳細な説明】
【技術分野】
【０００１】この発明は、工事現場等に使用する後打ちアンカーの補助器具に関する。
【背景技術】
【０００２】従来の後打ちアンカーの施工方法は、図３に示すように脚立・高所作業車に昇って、上部を確認しながら大きな力を使って作業を行っている。
【発明の開示】
【発明が解決しようとする課題】
【０００３】  しかしながら、以上の技術によれば、高所への昇降、特に上部への力を十分に加えなければならないので作業性も悪く大変である。
そこでこの発明は、高所への昇降を行わなくても良く作業に加える力も軽減される器具を提供することを課題とする。
【課題を解決するための手段】
【０００４】  以上の課題を解決するために、第一発明は、ハンマードリルに補助器具を取り付けたことを特徴とする装置である。
また、第二発明は、上部作業時にスライド式の操作部を取り付けたことを特徴とする装置である。
【発明の効果】
【０００５】  第一発明、または第二発明によれば、ハンマードリルに補助器具を取付けたことにより作業性が著しくあがる、及び安全性が確保される。
【発明を実施するための最良の形態】
【０００６】  この発明の一実施形態を、図１に示す。
ハンマードリルは、▲１▼、▲２▼の部分で固定されていて、▲３▼の伸縮される部分がある床面への固定部分は▲７▼のパイプで一回り小さい▲４▼のパイプが▲９▼の操作部分を押すことによってスライドする構造になっている。【０００７】「実施形態の効果」
この実施形態によれば、図１に示すように、▲１▼部分にドリルを固定し▲２▼の部分で受ける。
この時▲３▼の調整部分でアンカー埋め込み長さを調製できる。
▲７▼固定パイプを床面に置き、４▼スライドパイプの長さを調整する。長さも▲５▼・▲６▼の部分で調整可能である。装置のセットが終われば、▲８▼のスイッチをＯＮにし▲９▼の部分を下に押せば、最小の力でアンカーの穴が開き安全に作業が行えます。【０００８】「他の実施形態」
図１の実施形態では、操作部分は図２のような上下の力を加える
ハンドル式のものだが回転式等のものにしても良い。
【図面の簡単な説明】
【０００９】
【図１】本発明の立面図である。
【図２】操作部の拡大図である。
【図３】従来技術を示す図面である。
【符号の説明】
【００１０】▲１▼  ドリル固定金物
▲２▼  ドリル受け金物
▲３▼  埋め込み長さ調整ボルト
▲４▼  スライドパイプ
▲５▼  長さ調整用ソケット
▲６▼  スライドパイプ固定ボルト
▲７▼  固定パイプ
▲８▼  手元スイッチ（ＯＮ・ＯＦＦ）
▲９▼  操作部分
【図１】
2007276095.tif 000003
【図２】
2007276095.tif 000004
【図３】
2007276095.tif 000005
(57)【要約】【課題】抜けにくいキーを、爪で挟み引き抜くキー抜きを提供する。【解決手段】左右の爪（３）（４）でキーを挟み、クランプボルト（５）により締め付け、ハンマー（１１）をスライドさせ引き抜くことを、特徴とする。【選択図】図１
2007276099.tif 000002
【特許請求の範囲】
【請求項１】
左右の爪（３）（４）でキーを挟み、クランプボルト（５）により締め付ける。
ヒンジホルダー（８）をホルダーキャップ（９）にて、シャフト（１０）に取り付け、ハンマー（１１）をスライドさせて引き抜くキー抜き。
【発明の詳細な説明】
【技術分野】
【０００１】この発明は、左右の爪でキー挟み引き抜く、キー抜きに関するものである。
【背景技術】
【０００２】従来、キーを抜く専用工具の市販品が無く、きついキーを抜く時は、プライヤーで挟みこじたり、ポンチでたたいたりして、抜いていた。
【発明の開示】
【発明が解決しようとする課題】
【０００３】これは次のような欠点があった。
簡単に抜けるものはよいが、打ち込み公差のキーなどは、なかなか抜けず、キー溝加工物にキズが付いたり、プライヤーの刃先がダレたりし、作業時間もかかっていた。
本発明は以上のような欠点を、なくすためになされたものである。
【課題を解決するための手段】
【０００４】左右の爪（３）（４）をヒンジ式にして、クランプボルト（５）によりキーを締め付けハンマー（１１）をスライドさせ、ノックピン抜きのように、キーを引き抜く。
本発明は以上の構成よりなる、キー抜きである。
【発明の効果】
【０００５】クランプボルトで確実に締め付けているので、スベルことなく、引き抜け、キー溝加工してある品物にキズが付かなくなった。
【発明の実施をするための最良の形態】
【０００６】以下、本発明を実施するための最良の形態について説明する。
左右の爪（３）（４）の先端を鋭角にし、硬度を増してダレないようにする。
キーの巾によりクランプボルト（５）が、斜めになるので、球面座金（６）を必要とする。
ホルダーキャップ（９）のめネジ加工を、市販されているノックピン抜きのシャフトと、合わせておけば、シャフト（１０）とハンマー（１１）をよういしなくても、ノックピン抜きがあれば、キー抜きとセットで使用できる。
【図面の簡単な説明】
【図１】本発明品の正面断面図である。
【図２】本発明品の側面図である。
【符号の説明】
１  キー溝加工のしてある物
２  平行キー
３  爪左
４  爪右
５  クランプボルト
６  球面座金
７  ヒンジピン
８  ヒンジホルダー
９  ホルダーキャップ
１０  シャフト
１１  ハンマー
【図１】
2007276099.tif 000003
【図２】
2007276099.tif 000004
(57)【要約】      （修正有）【課題】    建築現場等での工事の際に、作業員の腰ベルトに装着して使用する工具袋に関するものであって、それぞれの作業状況に応じて、装着位置を変更し得るようにすることによって、作業時の安全性を確保できるようしようとする。【解決手段】  袋体の裏面側上方に折り返し部を形成して腰ベルトへの掛け止め部を形成するとともに、折り返し部の端部側と袋体の裏面側下方位置とに一対の部材からなる係合位置調整具を取り付け、調整具の操作によって、袋体に対する折り返し部の上端高さを任意に変更し得るように形成した。【選択図】図１
2007276014.tif 000002
【特許請求の範囲】
【請求項１】
作業に必要な工具類や釘等を入れて腰に下げて使用する工具袋にあって、袋体２の裏面側上方に折り返し部３を形成して腰ベルトへの掛け止め部５を形成するとともに、折り返し部３の端部側と袋体２の裏面側位置とに一対の部材からなる係合位置調整具６を取り付け、調整具６の操作によって、袋体２に対する折り返し部３の上端高さを任意に変更し得るように形成したことを特徴とする工具袋。
【発明の詳細な説明】
【技術分野】
【０００１】
この発明は、大工や左官等の作業員が各種の作業を行う際に使用する工具袋の改良に関するものである。
【背景技術】
【０００２】
大工や左官等の作業者が工事現場で作業を行う場合、金槌や鋸等の道具類や釘等の小物を入れた工具袋を腰に下げて作業を行うのが普通であるが、このような工具袋にあって、作業者の腰から１５センチメートル程度下がった箇所に工具袋の取り出し口が位置した状態とようになっておれば、釘等の小物の取り出しがスムーズにでき、使い勝手が良いことから、従来一般に使用されている工具袋は、作業者が腰に下げた場合、取り出し口が、作業者の腰から１５センチメートル程度下がった位置になるように形成されているのである。
【発明の開示】
【発明が解決しようとする課題】
【０００３】
しかし、工具袋の開口部が作業者の腰から１５センチメートル程度下にくるような構成となっていた場合、工具袋の深さからして、工具袋の底部は、作業者の腰から大きく下がった個所に位置した状態となり、そのような状態で作業者が屋根等の勾配のある場所でしゃがみ込んだ場合、工具袋の底部が屋根等の勾配面に当たり、しゃがみ込めるものと思って行動した作業者の腰を不意打ちに突き上げるような格好となり、それがきっかけとなって、作業者が高所でバランスを失い、高所からの落下の原因となる可能性があるのである。
【０００４】
この発明は、大工や左官等の作業者が工事を行う際に使用する工具袋にあって、工具袋の装着位置を作業環境により適宜に変更できるようにすることによって、従来の構成のものに見られた上記のような欠点を除去しようとするものである。
【課題を解決するための手段】
【０００５】
この発明は、作業に必要な工具類等を入れた状態で腰に下げて使用する工具袋に関するものであって、袋体の裏面側上方に折り返し部を形成して腰ベルトへの掛け止め部を形成するとともに、折り返し部の端部側と袋体の裏面側下方位置とに一対の部材からなる係合位置調整具を取り付け、調整具の操作によって、袋体に対する折り返し部の上端高さを任意に変更し得るように形成した構成となっているのである。
【発明の効果】
【０００６】
この発明に係る工具袋は、作業者の腰に装着して作業を行なうに際して、工具袋の装着位置を変更し得る構成となっており、それにより、ぞれの作業環境に応じて、作業者に使い勝手の良い使用条件のもとで効率良く、安全に作業を行ない得るという利点があるのである。
【０００７】
すなわち、床面等の平坦な場所で立って釘打ち作業を行うような場合には、手を伸ばした際に指先が自然に工具袋の底に届くような状態となっておれば、中の釘等を頻繁に取り出さなければならない釘打ち作業を効率よく進めることが出来るのであるが、そのような場合には、調整具の操作により、作業者の体格に応じて折り返し部をやや長めにすることにより、使用勝手の良い作業条件の下で効率良く作業を行い得一方、屋根等の勾配のある場所で作業を行うような場合、あらかじめ、折り返し部の長さ調整により、作業員がしゃがみ込んでも工具袋の底部が勾配面に接触することのないように調整することによって、転落することのない安全な作業環境のもとで作業を行い得るという利点があるのである。
【実施例】
【０００８】
図面に基づいて、この発明の実施例を説明すると、工具袋本体１は、図１、並びに図２に示すように、袋体２の裏面側上方に折り返し部３を形成して腰ベルト４への掛け止め部５を形成するとともに、折り返し部３の端部側と袋体２の裏面側位置とに一対の部材からなる係合位置調整具６を取り付け、調整具６の操作によって、袋体２に対する折り返し部３の上端高さを任意に変更し得るように形成した構成となっているのである。
【０００９】
すなわち、袋体２は、図１、並びに図２に示すとおり、下方両角を円弧状に仕上げた略正方形の表布７と、下半部を表布７と相似形に仕上げるとともに、上方側の横幅が少し狭くなるように仕上げた縦長の長方形状の裏布８からなり、表布７と裏布８と対面状に配置し、底部から両側部にわたって襠９を入れて縫合することによって、上方に釘等の出し入れ口となる開口部１０を形成した構成となっているのである。
【００１０】
係合位置調整具６は、図３に示すとおり、凹凸部１１を連続形成したベルト６ａと、台座１４と揺動操作部１３との間にベルト６ａを通し得るとともに、揺動操作部１３に形成した突起（図面上は示されていない。）がベルト６ａの凹凸部１１の凹部１１ａに嵌まり込むことによって、ベルト６ａを任意の位置で係合固定させることが出来る一方、揺動操作部１３の端部を引き上げることによって、その係合状態を解除させ得る構成の係止具６ｂから構成されており、係合位置調整具６の一方部材となるベルト６ａは、その基部を裏布９の上端部の両側位置に縫合することによって取り付けられ、また、係合位置調整具６の他方部材となる係止具６ｂは、その台座１４を裏布９の中程位置両側側に鋲止めすることによって取り付けられるのである。
【００１１】
工具袋本体１は、上記のような構成であって、ベルト６ａが取り付けられた裏布９を裏側に折り曲げるとともに、裏布９に取り付けたベルト６ａ・６ａを、それぞれ係止具６ｂ・６ｂの間隙部１５に通して係止させるとこにより、袋体２の裏面側上方部に折り返し部３が形成され、その折り返し部３に作業員の腰ベルトを通すことにより、工具袋本体１を作業員の腰に下げて装着し得るとともに、係合位置調整具６による調整により、折り返し部３の高さを変えることが可能となり、それを変えることにより、工具袋本体１の装着高さを変えることが可能となるのである。
【図面の簡単な説明】
【００１２】
【図１】工具袋本体を示す斜視図である。
【図２】工具袋本体を示す斜視図である。
【図３】係合位置調整具の部材の構成を示す分解斜視図である。
【符号の説明】
【００１３】
１    工具袋本体
２    袋体
３    折り返し部
５    掛け止め部
６    契合位置調整具
【図１】
2007276014.tif 000003
【図２】
2007276014.tif 000004
【図３】
2007276014.tif 000005